(57)【要約】      （修正有）【課題】輸送する液体が中空管体と撓曲部の連接箇所から滲み出たり、中空管体と撓曲部の連接箇所に細菌が繁殖したりするのを防止する效果を達成する一体式外科用カテーテルを提供する。【解決手段】一体式外科用カテーテル１は、中空管体１０を含み、中空管体１０は中空管体１０の端部に形成した継手部１２と、継手部１２の一側邊に備えた撓曲部１３を含む。撓曲部１３の外表面には間隔を開けて配列した複数の凸部を成形し、更に任意の二隣接凸部の間には凹部が形成される。【選択図】図２
0003180172.tif 000002
【実用新案登録請求の範囲】
【請求項１】
一体式外科用カテーテルにおいて、
中空管体を含み、該中空管体の端部は継手部を成形し、該継手部の一側辺は撓曲部を備え、該撓曲部の外表面には複数の凸部１３１が間隔を開けて成形して配列し、二個の隣接する該凸部１３１の間は凹部１３２が形成されることを特徴とする一体式外科用カテーテル。
【請求項２】
前記各凸部は凸環であることを特徴とする請求項１記載の一体式外科用カテーテル。
【請求項３】
前記凹部は凹溝であることを特徴とする請求項２記載の一体式外科用カテーテル。
【請求項４】
前記継手部の外表面は、複数の凹槽を繞設し、各該凹槽と該継手部の中心線は平行であることを特徴とする請求項１記載の一体式外科用カテーテル。
【請求項５】
前記中空管体は更に主体を含み、該撓曲部の該継手部に遠い一端は該主体を連接することを特徴とする請求項１記載の一体式外科用カテーテル。
【請求項６】
前記撓曲部は絞り出し成形で該主体に結合することを特徴とする請求項５記載の一体式外科用カテーテル。
【請求項７】
前記各該凸部は複数の凸塊によって構成され、各該凸塊は該撓曲部の外表面に間隔を開けて繞設して成形することを特徴とする請求項６記載の一体式外科用カテーテル。
【請求項８】
前記撓曲部は、射出包装で該主体に結合することを特徴とする請求項５記載の一体式外科用カテーテル。
【請求項９】
前記主体的内周壁は、複数の凸条が延長成形し、各該凸条は相互に間隔を開けて配列し、該主体の軸方向に沿って設置することを特徴とする請求項５記載の一体式外科用カテーテル。
【請求項１０】
前記主体１１の内周壁は、少なくとも一凸条を成形し、該凸条は螺旋状で該主体の内周壁に繞設することを特徴とする請求項５記載の一体式外科用カテーテル。
【考案の詳細な説明】
【技術分野】
【０００１】
本考案は、一体式外科用カテーテルに関するもので、特に外科手術に用いるカテーテルに係わる。
【背景技術】
【０００２】
外科カテーテルは、一般的に外科手術中に切った患部を洗浄する過程に用い、外科カテーテルは主に液体を患者体内に輸送するか、もしくは患者体内の汚染された液体を体外へ排出し、患者切除部の洗浄効果を達成する。
【０００３】
公知の外科カテーテルにおいて、公知の外科カテーテルは主に管体を含んでいる。外科カテーテルを使用する時、コネクターを管体の一側に固定し、患者の体内へ入れる。管体から遠いコネクターの一端を給水装置もしくは吸引装置に連接し、液体給患者に液体を入れて洗浄するか、もしくは患者体内の汚れた液体を排出する。
【先行技術文献】
【特許文献】
【０００４】
【特許文献１】実開平３−５４７２９号公報
【考案の概要】
【考案が解決しようとする課題】
【０００５】
本考案の解決しようとする問題点は、管体を患者体内に入れて更に挿入する時にはコネクターを繋ぐが、そのため管体とコネクターの連接箇所に細菌が繁殖しやすく、更に患者が細菌に感染しやすくなり、その他の併発症状を発し、病状を悪化させる。その他、外科カテーテルで輸送液体を患者体内に送るだけでなく、もしくは外科カテーテルで患者体内から汚れた液体を患者体内から排出させる時、その輸送過程に於いて液体が管体とコネクターの連接箇所から滲み出て、周囲環境もしくは医療従事者を汚染したり、感染させたりしてしまう点である。
【課題を解決するための手段】
【０００６】
本考案は、中空管体を含み、中空管体は中空管体の端部に形成した継手部と、継手部の一側邊に備えた撓曲部を含む。撓曲部の外表面には間隔を開けて配列した複数の凸部を成形し、更に任意の二隣接凸部の間には凹部が形成されることを最も主要な特徴とする。
【考案の効果】
【０００７】
本考案の一体式外科用カテーテルによれば、第一に患者の切開部位に合わせて撓曲部で曲げることができ、継手部により主体を必要な角度もしくは形状にでき、継手部を更にスムーズもしくは便利に患者体内に入れやすくなる点と、第二に、主体内の凸条によって，主体が捻じ曲げ、圧迫もしくは湾曲するのを防止することによって、主体が変形しても主体の内壁面の間に空間を備え、主体内で液体がスムーズに流動する効果を達成するという利点がある。
【図面の簡単な説明】
【０００８】
【図１】本考案の第一実施例の立体図である。
【図２】本考案の第一実施例の断面図である。
【図３】本考案の第二実施例の立体図である。
【図４】本考案の第二実施例の指示図である。
【図５】本考案の第三実施例の断面図である。
【図６】本考案の第四実施例の指示図である。
【図７】本考案の第五実施例の指示図である。
【考案を実施するための形態】
【０００９】
本考案の一つの目的は、外科用カテーテルにおいて、中空管体の端部に継手部及び撓曲部を成形して一体式外科用カテーテルで輸送する液体が中空管体と撓曲部の接箇所から滲み出るのを防止する効果を達成する一体式外科用カテーテルを提供する。
【００１０】
本考案の別の目的は、外科用カテーテルにおいて、中空管体の端部に継手部及び撓曲部を成形して、中空管体と撓曲部との連接箇所に細菌が繁殖するのを防止する効果を達成する一体式外科用カテーテルを提供する。
【００１１】
上述の目的を達成するため、本考案は、一体式外科用カテーテルを提供し、中空管体を含み、該中空管体は該中空管体の端部に成形する継手部と、継手部の一側に備える撓曲部を含む。該撓曲部の外表面には間隔を開けて配列した複数の凸部を備え、任意の二隣接する該凸部の間には凹部を備える。
【実施例１】
【００１２】
本考案の一体式外科用カテーテルの実施例を、詳細な説明及び技術内容に関し、図式を挙げて以下に説明する。尚、添付した図式は説明のための参考に過ぎず、本考案を制限するものではない。
【００１３】
図１及びび図２に示すのは、本考案の第一実施例の立体図及び断面図であり、本考案は一体式外科用カテーテル１を提供し、それは主に中空管体１０を含む。
【００１４】
前記中空管体１０は主体１１、継手部１２及び撓曲部１３を含む。撓曲部１３は射出包装方式で主体１１の端部から成型し、継手部１２撓曲部１３の主体１１から遠い一側に位置する。継手部１２の外表面は複数の凹槽１２１を繞設し、各凹槽１２１は継手部１２の中心線と平行する。撓曲部１３外表面は間隔排列した複数の凸部１３１が成形され、各凸部１３１は凸環であり、且つ撓曲部１３の隣合う二凸部１３１の間はそれぞれ凹部１３２が形成され、凹部１３２は凹溝である。
【００１５】
手術に於いて一体式外科用カテーテル１を使用する時、先ず二本の一体式外科用カテーテル１の継手部１２をそれぞれ患者的体内に入れ、各一体式外科用カテーテル１の主体１１の撓曲部１３から遠い一端は、それぞれ給水装置及び吸引装置を連接する。給水装置が一体式外科用カテーテル１を通して液体給患者に液体を供給して洗浄し、続いて吸引装置が一体式外科用カテーテル１を通して患者体内から汚れた洗浄液体を抽出し、患者体内を洗浄する効果を達成する。
【００１６】
その他、撓曲部１３は撓曲性を備え、患者の切り開いた部位に合わせて継手部１２と主体１１を必要な角度もしくは形状に湾曲させて継手部１２を更にスムーズもしくは便利に放入患者の体内に入れる效果を達成する。
【００１７】
その他、撓曲部１３と主体１１は一体成型である特徴から、伝統的な一体式外科用カテーテル１と比較して中空管体１０と撓曲部１３の連接箇所に細菌が繁殖する状況を防止する。その他、洗浄液体を輸送する過程において、その洗浄液体が中空管体１０と撓曲部１３の連接箇所から滲み出て周囲環境を汚染したり、医療従事者が汚染した洗浄液体から感染したりするのを防止する。
【実施例２】
【００１８】
図３及び図４に示すのは、本考案の第二実施例の立体図及び指示図でありと前述の実施例と主に異なる点として、撓曲部１３は絞り出し成形方式で主体１１の端部から成型し、且つ撓曲部１３の各一凸部１３１は複数の凸塊１３１１によって構成され、各凸塊１３１１は撓曲部１３外表面に間隔を開けて繞設して成形される。それらによって撓曲部１３と主体１１の連接箇所に細菌が繁殖したり、洗浄液体が滲み出たりする状況を防止する。
【実施例３】
【００１９】
図５に示すのは、本考案の第三実施例の断面図であり、前述の各実施例と主に異なる点として、撓曲部１３は射出包装方式で主体１１の端部から成型する。但し、その撓曲部１３と主体１１の材質は同時ではなく、その撓曲部１３と主体１１の連接箇所には接合線１４を形成する。
【実施例４】
【００２０】
図６に示すのは、本考案の第四実施例の指示図であり、前述の各実施例と主に異なる点として、中空管体１０の主体１１の内周壁には複数の凸条１１１aが延長成形され、各凸条１１１a同士は間隔をあけて配列し、該主体１１の軸向きに沿って設置される。主体１１が捻じ曲げ、圧迫もしくは湾曲した時、各凸条１１１aは主体１１の内壁面を押さえ、主体１１の内壁面の間に間隔を備えた空間を形成し、液体於主体１１が変形した状況下においても液体をスムーズに流動させる効果を達成する。
【実施例５】
【００２１】
図７に示すのは、本考案の第五実施例の指示図であり、前述の各実施例と主に異なる点として、中空管体１０の主体１１内周壁には少なくとも一凸条１１１bが延長成形され、凸条１１１bは螺旋状で該主体１１の内周壁に繞設し、主体１１内で液体が維持され、スムーズに流動する効果を達成する。
【００２２】
上述のとおり、本考案の一体式外科用カテーテルは、産業利用性、新規性及び進歩性を備えており、また本考案の構造は同種の製品及び公開使用されていないことから、実用新案登録の要件に符合する。
【符号の説明】
【００２３】
１        一体式外科用カテーテル
１０        中空管体
１１        主体 
１１１a       凸条
１１１b       凸条
１２        継手部 
１２１        凹槽
１３        撓曲部
１３１        凸部
１３１１        凸塊  
１３２        凹部
１４        接合線
【図１】
0003180172.tif 000003
【図２】
0003180172.tif 000004
【図３】
0003180172.tif 000005
【図４】
0003180172.tif 000006
【図５】
0003180172.tif 000007
【図６】
0003180172.tif 000008
【図７】
0003180172.tif 000009